(57)【特許請求の範囲】
【請求項１】
網地本体の耳部における網目に目通し糸を通し、この目通し糸によって前記網目の数目毎に、複数の輪差を作るとともに、これら輪差の配置方向に沿ってガイドロープ及びパイプを配置し、前記ガイドロープの所定間隔毎に、該ガイドロープのストランドの間に前記輪差を通した上、その輪差を前記パイプに結び付けるようにしたことを特徴とする漁網。
【請求項２】
前記目通し糸は、前記網目の数目毎に、前記耳部の糸を結び込んだ上、複数の輪差が作られていることを特徴とする請求項１に記載の漁網。
【請求項３】
網地本体の耳部における網目に目通し糸を通し、この目通し糸によって前記網目の数目毎に、複数の輪差を作るとともに、これら輪差の配置方向に沿ってガイドロープ及びパイプを配置する第１の工程と、
前記ガイドロープの所定間隔毎に、該ガイドロープのストランドの間に前記輪差を通した上、その輪差を前記パイプに結び付ける第２の工程と、
前記パイプに浮子取付け用ロープまたは沈子取付け用ロープを挿通して、前記パイプから引き出しながら前記輪差を前記パイプから前記ロープに移す第３の工程と、
からなることを特徴とする漁網の仕立て方法。
【発明の詳細な説明】
【技術分野】
【０００１】
この発明は、刺し網漁業に用いる漁網及び網地に浮子取付け用ロープまたは沈子取付け用ロープを取り付ける漁網の仕立て方法に関する。
【背景技術】
【０００２】
網に魚を絡ませたり、鰓を網目に刺して絡ませて獲る「刺し網漁業」において用いる漁網は、例えば特許文献１で知られている。漁網は、水中に網を張り巡らすために、一般に、図８に示すように構成されている。すなわち、網地本体１の上部（水面側）における耳の網目２には、網目２に仕立て糸３が挿通されている。仕立て糸３に沿って浮子取付け用ロープ４が設けられ、この浮子取付け用ロープ４には浮子５が所定間隔を存して配置されている。仕立て糸３は所定間隔毎に浮子取付け用ロープ４に取り付けられているが、このとき魚が絡みやすいように網地本体１を前記浮子取付け用ロープ４の長さ方向に一定の割合で縮めて取り付けている。
【０００３】
網地本体１を一定の割合で縮めて取り付けることを、「イセ（edging contraction）」あるいは「縮結」と呼んでおり、従来、「イセ」を入れながら網地本体１を浮子取付け用ロープ４に取り付けるには、人手で一定間隔に網目２を仕立て糸３で浮子取付け用ロープ４に結び付けるか、一定間隔毎に目通し糸をミシンで縫い付けている。
【０００４】
また、近年ではパイプに目通し糸を「まき結び」（Clove Hitch）で結び付けて、そのパイプの中に浮子取付け用ロープ４を通し、浮子取付け用ロープ４をパイプから引き抜いて仕立てるパイプ方式も行われている。
図９で示すように、網地本体１の下部（海底側）における耳の網目２も同様であり、網目２に仕立て糸３が挿通されている。仕立て糸３に沿って沈子取付け用ロープ６が設けられ、この沈子取付け用ロープ６には沈子７が所定間隔を存して配置されている。仕立て糸３は所定間隔毎に沈子取付け用ロープ６に取り付けられているが、このとき魚が絡みやすいように網地本体１を一定の割合で縮め、「イセ」を入れながら取り付けている。
【特許文献１】実用新案登録第３０９８３７７号公報
【発明の開示】
【発明が解決しようとする課題】
【０００５】
しかしながら、前述したパイプの中に浮子取付け用ロープ４や沈子取付け用ロープ６を通し、浮子取付け用ロープ４や沈子取付け用ロープ６をパイプから引き抜いて仕立てるパイプ方式は、一定間隔で正確な「イセ」を入れることが非常に難しい。また、刺し網漁業では羅網した魚を網地から外したり、海底の岩等に絡んだりして網地が破れたり、擦り切れたりして傷むので頻繁に新しい網地と取替えている。しかし、浮子５や沈子７及び浮子取付け用ロープ４や沈子取付け用ロープ６は何回も使用しているのが一般的である。
新しいロープや新しい網地を使用して仕立てを行うときは勿論であるが、古いロープを使用して新しい網地に取り替えるときにはミシンで縫い付ける方法、人手で結び付ける方法は多くの手間がかかり、従来のパイプ方式では魚を網目に絡ませたり刺したりする適切かつ正確な「イセ」が入れられないという事情がある。
【０００６】
この発明は、前記事情に着目してなされたもので、その目的とするところは、網地本体に一定の割合で縮めて正確に「イセ」を入れることができる漁網を提供することにある。また、この発明は、網地本体に一定の割合で縮めて正確に「イセ」を入れることが簡単に短時間に行うことができる漁網の仕立て方法を提供することにある。
【課題を解決するための手段】
【０００７】
この発明は、前記目的を達成するために、請求項１に係る発明は、網地本体の耳部における網目に目通し糸を通し、この目通し糸によって前記網目の数目毎に、複数の輪差を作るとともに、これら輪差の配置方向に沿ってガイドロープ及びパイプを配置し、前記ガイドロープの所定間隔毎に、該ガイドロープのストランドの間に前記輪差を通した上、その輪差を前記パイプに結び付けるようにしたことを特徴とする漁網である。
【０００８】
請求項２に係る発明は、前記目通し糸は、前記網目の数目毎に、前記耳部の糸を結び込んだ上、複数の輪差が作られていることを特徴とする請求項１に記載の漁網である。
【０００９】
請求項３に係る発明は、網地本体の耳部における網目に目通し糸を通し、この目通し糸によって前記網目の数目毎に、複数の輪差を作るとともに、これら輪差の配置方向に沿ってガイドロープ及びパイプを配置する第１の工程と、前記ガイドロープの所定間隔毎に、該ガイドロープのストランドの間に前記輪差を通した上、その輪差を前記パイプに結び付ける第２の工程と、前記パイプに浮子取付け用ロープまたは沈子取付け用ロープを挿通して、前記パイプから引き出しながら前記輪差を前記パイプから前記ロープに移す第３の工程と、からなることを特徴とする漁網の仕立て方法である。
【発明を実施するための最良の形態】
【００１１】
以下、この発明の実施の形態を図面に基づいて説明するが、従来と同一構成部分は同一番号を付して説明を省略する。
【００１２】
図１は第１の実施形態の漁網の上部側（水面側）を示し、（ａ）は斜視図、（ｂ）はＡ部を拡大した斜視図である。網地本体１（身網）は、例えば合成繊維のモノフィラメントからなる網糸を結節することにより網目２が構成されている。網地本体１の耳部における網目２には耳部に沿って目通し糸８が挿通されている。この目通し糸８は網目２の数目毎（本実施形態では５目毎）に網目２を形成する糸２ａを、図２に示すように、「まる結び９」で結び込んで輪差１０が設けられている。従って、網目２の耳部に沿って複数の輪差１０が等間隔に設けられ、これら輪差１０の配置方向に沿ってガイドロープ１１及びパイプ１２が配置されている。
【００１３】
前記各輪差１０は、ガイドロープ１１の所定間隔毎に、ガイドロープ１１を構成するストランド１３の間に割り込むように刺し込まれ、さらに、その輪差１０の先端部はパイプ１２に対して「巻き結び１４」で結び付けられている。
【００１４】
従って、網地本体１は、耳部に沿って挿通された目通し糸８に一定間隔毎に弛み１５を形成され、「イセ」「縮結」と呼称する縮め部分が設けられている（図１の１６は網地本体１が縮められた部分を示す）。
前記パイプ１２には、図３に示すように、予め浮子取付け用ロープ４を挿通して、その浮子取付け用ロープ４はパイプ１２の端部１２ａから引き出し可能である。従って、浮子取付け用ロープ４をパイプ１２の端部１２ａから引き出しながら輪差１０をパイプ１２の軸方向にスライドさせて浮子取付け用ロープ４に移すとともに、浮子取付け用ロープ４に対して「巻き結び１４」で結び付けると、網地本体１の上部側（水面側）の仕立てが完了する。同様に、網地本体１の下部側（海底側）においても、パイプ１２に、沈子取付け用ロープ６を挿通し、沈子取付け用ロープ６をパイプ１２の端部１２ａから引き出しながら輪差１０をパイプ１２の軸方向にスライドさせて沈子取付け用ロープ６に移すことにより、網地本体１の下部側（海底側）の仕立てが完了する。
従って、浮子取付け用ロープ４または沈子取付け用ロープ６をパイプ１２の端部１２ａから引き出しながら輪差１０をパイプ１２の軸方向にスライドさせて浮子取付け用ロープ４または沈子取付け用ロープ６に移すという簡単な仕立て方法であり、人手を省いて効率的に網地本体１に一定間隔に「イセ」を入れることができる。
【００１５】
なお、前記第１の実施形態においては、目通し糸８は網目２の数目毎に、網目２を形成する糸２ａを「まる結び９」で結び込んで輪差１０を設けたが、図４に示すように、「まる結び９」に代って「引き結び１７」でもよい。また、図５に示すように、網目２を結び込まないで「まる結び９」で結んで輪差１０を設けてもよい。
【００１６】
図６及び図７は第２の実施形態を示し、図６（ａ）は漁網の上部側（水面側）に斜視図、（ｂ）は下部側（海底側）の斜視図、図７（ａ）は浮子を取り付けた漁網の上部側（水面側）に斜視図、（ｂ）は沈子を取り付けた下部側（海底側）の斜視図である。
【００１７】
網地本体１の上部側及び下部側の耳部における網目２には耳部に沿って浮子取付け用ロープ４及び沈子取付け用ロープ６が挿通されている。網地本体１の耳部における網目２には数目毎（本実施形態では５目置き毎）に仕立て糸１８が通され、この仕立て糸１８は網地本体１に一定間隔に「イセ」を入れながら浮子取付け用ロープ４及び沈子取付け用ロープ６に縛り付けられている。さらに、浮子取付け用ロープ４には浮子５が、沈子取付け用ロープ６には沈子７がそれぞれ一定間隔毎に「巻き結び１４」で結び付けられて漁網が仕立てられている。
このように、仕立て糸１８は網地本体１に一定間隔に「イセ」を入れながら浮子取付け用ロープ４及び沈子取付け用ロープ６に縛り付けることにより、仕立てが簡単な作業で、熟練度を要求することなく短時間で行うことができる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１８】
【図１】この発明の第１の実施形態の漁網の上部側を示し、（ａ）は斜視図、（ｂ）はＡ部を拡大した斜視図。
【図２】同実施形態の整流器を示し、まる結びで結び込んだ輪差を示す斜視図。
【図３】同実施形態の漁網の上部側の斜視図。
【図４】同実施形態の引き結びで結び込んだ輪差を示す斜視図。
【図５】同実施形態の耳部を結び込まないでまる結びをした輪差を示す斜視図。
【図６】この発明の第２の実施形態の漁網を示し、（ａ）は上部側の斜視図、（ｂ）は下部側の斜視図。
【図７】同実施形態の漁網を示し、（ａ）は上部側の斜視図、（ｂ）は下部側の斜視図。
【図８】従来の漁網を示す上部側の斜視図。
【図９】従来の漁網を示す下部側の斜視図。
【符号の説明】
【００１９】
１…網地本体、２…網目、４…浮子取付け用ロープ、５…浮子、６…沈子取付け用ロープ、７…沈子、８…目通し糸、１０…輪差、１１…ガイドロープ、１２…パイプ、１３…ストランド
【図１】
0004579818.tif 000002
【図２】
0004579818.tif 000003
【図３】
0004579818.tif 000004
【図４】
0004579818.tif 000005
【図５】
0004579818.tif 000006
【図６】
0004579818.tif 000007
【図７】
0004579818.tif 000008
【図８】
0004579818.tif 000009
【図９】
0004579818.tif 000010